(57)【要約】      （修正有）【課題】野菜を主に植物を常に栽培可能にする装置として可搬式箱による野菜栽培装置を提供する。【解決手段】搬送が可能な栽培箱１を用いる野菜栽培装置において、装置を覆い囲うカバー７を設け、カバー７内に栽培に必要な設備、すなわち、栽培灯８、殺菌殺虫灯９、散水装置１０、施肥設備１１、温度湿度調節装置１２を設け、カバー７内を常に、各栽培物３に適した栽培条件に合わせて設定を行ない、常に栽培を行なうことを可能にし、したがって、野菜の他の植物栽培を可能にし、屋内外に設置して野菜等の栽培と各苗の育苗を行なうことができる。【選択図】図３
0003216239.tif 000002
【実用新案登録請求の範囲】
【請求項１】
搬送が可能な栽培箱を用いる野菜栽培装置において栽培箱の左右に保持軸を設け、保持軸を伝導装置に回転可能に設けるか、または、保持軸を伝導装置に固定して保持軸を栽培箱に回転可能に設けるとともに、左右の保持軸を互いに偏心させ、手動または電動機により伝導装置を動かすことにより、栽培箱の上下、左右、前後姿勢を保ち移動搬送が可能な装置において、装置を覆い囲うカバーを設け、カバー内に栽培に必要な装置、すなわち、栽培灯、および、散水設備、施肥設備、ならびに温度湿度調整設備を設け、カバー内を常に、各栽培物に適した栽培条件に合わせて設定を行ない、常に栽培を行なうことを可能にし、したがって、野菜の他の植物栽培を可能にする搬送が可能な栽培箱を用いる野菜栽培装置。
【考案の詳細な説明】
【技術分野】
【０００１】  本考案は、野菜栽培を主にして植物栽培に関する。
【背景技術】
【０００２】  従来、農地、山野地の地面による野菜栽培を主に、植物栽培を行なっている。このさい、太陽光が十分であり、比較的広域平面の農地、山野地が必要である。また、山地斜面に不便な段々畑を設け、また、季節により栽培可能と不可能可をもたらす。
【考案の概要】
【考案が解決しようとする課題】
【０００３】  本考案の装置は、野菜栽培を主に植物栽培において、量産を図り、栽培作業の便を図り、高齢化に応える。その１、本考案装置を山地斜面または平地の屋外に設置して、その端部に栽培作業棟を設け、栽培作業を集成して室内で行なう。その２、地面上に本考案装置の栽培箱を上下に配列する場合、栽培に必要な地面積を少にする。その３、本考案装置内の栽培条件の制御を行ない、したがって、野菜の他の植物、花、苺、茸の栽培、および、稲苗、樹木の苗等の育苗を可能にする。上記３点にくわえ、本考案装置内の栽培条件の制御を常に行なうことにより気象、季節に関り少なく常に栽培を行なうことを可能にする。
【課題を解決するための手段】
【０００４】  以後、栽培箱を上下に配列する装置について記す。本考案は、搬送が可能な栽培箱を用いた野菜栽培装置において栽培箱の左右に保持軸を設け、保持軸を伝導装置に回転可能に設けるか、または、保持軸を伝導装置に固定して保持軸を栽培箱に回転可能に設け、左右の保持軸を互いに偏心させ、手動または電動機により伝導装置を動かすことにより、栽培箱の上下、左右、前後姿勢を保ち移動搬送を行なう装置において、装置を覆うカバーを設け、カバー内に栽培に必要な栽培灯、および、散水設備、施肥設備、ならびに温度湿度調整設備を設け、カバー内を常に、各栽培物に適した栽培条件に合わせて設定を行ない、したがって、野菜の他の植物栽培、および、各苗の育苗を可能にする。また、栽培条件を常に制定可能であるゆえ年間をとおして常に栽培することが可能である。また、栽培装置を屋外に設け、装置の一部に栽培作業棟を設けて栽培作業行動域少なく作業の合理化を図る。伝道装置として、ローラーチェイン、コンベアーチェイン、ワイヤーロープを主に可撓性伝導装置の利用が可能である。それらの代表として、以後、ローラーチェインを利用し上下方向伝導方式、すなわち、栽培箱を上下に配列して設け、上下に移動する場合を例とする。装置のカバーの内面に光線を反射する材料、すなわち、アルミニウム板、または、ミラーを用い、カバーの外面に断熱材を用いる。なお、カバー内に殺菌殺虫灯を設ける。また、カバーの一部に種蒔き、栽培手入れ、採取用開閉口を設け、物品搬送コンベアーを併設し作業の便、合理化を図る。本装置幾台かを室内に設け、同種植物栽培を行なう場合、各個装置のカバーを必要とせず、室内全体を適正栽培条件とすることができる。
【考案の効果】
【０００５】  本考案装置を農作地に設ける場合、作業者の高齢化に応えて作業者の作業行動範囲を少なくし、物品の搬送の機械化を行なうことが可能である。また、栽培に必要な地表面積を少にする。また、住居の庭先やビルの屋上や側面に設けて利用することが可能である。なお、本装置は各室内に設置することが可能である。そのさい、農業地に栽培棟を設け棟内に装置を設けることが可能である。また、都会内の空地棟内に装置を設けることが可能である。なお、食品売店棟内・室内・店内に設けることが可能である。さらに、ホテル、レストラン、飲食店内に設けることが可能である。
【図面の簡単な説明】
【０００６】  図面の簡単な説明を行うにあたり、伝導装置において、縦上下、横左右、斜め方式の代表として縦上下方式を示して説明する。なお、ローラーチェイン伝導装置使用時を示す。
【図１】本考案の栽培箱の図である。
【図２】本考案装置を斜面地屋外に設置してその端部に栽培作業棟を設けた図である。
【図３】本考案装置を地面上に縦に設けた場合、すなわち、栽培箱を上下に配列し、上下に移動する場合の図である。
【考案を実施するための形態】
【０００７】  以下、本装置の実施の形態を図１から図３に示して説明する。
【実施例】
【０００８】  図３の栽培箱を上下に配列した場合を例にして説明する。図３の栽培箱１内の栽培土２に栽培物３を植える。当該栽培箱１と伝導装置４を保持軸５で結ぶ。伝導装置（ローラーチェイン）４は、手動、または、電動機により回転するローラーチェインスプロケット６にかかって上下に動き、栽培箱１を上下に運ぶ。カバー７で装置全体を覆い囲み、内部に、８の栽培灯、９の殺菌殺虫灯、１０の散水設備、１１の施肥設備、１２の温度湿度調節装置を設けて、８、９、１０、１１を栽培物３の適切な栽培条件併せて調整を行なう。カバーの外面に１７の開閉口を設ける。開閉口の高さは作業者の作業位置に合わせて設け、開閉口により内部観察、種蒔き、栽培物取り扱い、採取を行なう。１３のコンペアーにより、採取栽培物の搬送  栽培種、栽培必要物品の搬送を行なう。１４は栽培装置内の栽培条件の制御、栽培条件を示す各種計器である。ここにおいて、図２について、図２の１５は栽培作業棟の断面図である。このさい、栽培装置を屋外に設け、栽培作業を屋内に集成して行なうことが可能である。図３の栽培箱を上下に配列した場合も、これと同じく、栽培作業棟を設け、作業者は屋内で栽培作業を行なうことが可能である。
【符号の説明】
【０００９】          １      栽培箱
２      栽培用土
３      栽培物
４      伝導装置、ローラーチェイン
５      保持軸
６      ローラーチェインスプロケット
７      カバー
８      栽培灯
９      殺菌殺虫灯
１０    散水装置
１１    施肥設備
１２    温度湿度調節装置
１３    コンペアー
１４    各種制御機器、各種計器
１５    栽培棟、または住居棟の断面
１６    地表
１７    開閉口
【図１】
0003216239.tif 000003
【図２】
0003216239.tif 000004
【図３】
0003216239.tif 000005